(57)【要約】【課題】かつら及びかつらの製造方法において、かつらの外観を自然にする。【解決手段】かつら１は、かつらベース２と、このかつらベース２に植毛され、１回転以上カールすることにより形成されるカール部３ａを有する複数の第１の毛髪３と、かつらベース２に植毛され、第１の毛髪３により支持される複数の第２の毛髪４と、を備える。【選択図】図１
2015151656.tif 000002
【特許請求の範囲】
【請求項１】
かつらベースと、
前記かつらベースに植毛され、１回転以上カールすることにより形成されるカール部を有する複数の第１の毛髪と、
前記かつらベースに植毛され、前記第１の毛髪により支持される複数の第２の毛髪と、
を備えることを特徴とするかつら。
【請求項２】
前記カール部は、前記第１の毛髪のうち前記かつらベースに対する植毛部分である根元部分から先端部分に亘る全体で１つ形成されることを特徴とする請求項１記載のかつら。
【請求項３】
前記カール部における前記第１の毛髪の回転数は、２回転以下であることを特徴とする請求項１または２記載のかつら。
【請求項４】
１回転以上カールすることにより形成されるカール部を有する第１の毛髪をかつらベースに対し植毛する工程と、
前記第１の毛髪により支持される第２の毛髪を前記かつらベースに対し植毛する工程と、
を含むことを特徴とするかつらの製造方法。
【請求項５】
前記第１の毛髪に前記カール部を形成する工程を更に含み、
前記カール部を形成する工程では、単一の部材に複数の前記第１の毛髪を巻き付けて同時に複数の前記カール部を形成するとともに、複数の前記第１の毛髪から前記単一の部材を引き抜いて複数の前記第１の毛髪を束ね、
前記第１の毛髪を植毛する工程では、束ねた複数の前記第１の毛髪の中から前記第１の毛髪を取り出して植毛する、
ことを特徴とする請求項４記載のかつらの製造方法。
【発明の詳細な説明】
【技術分野】
【０００１】
本発明は、かつらベース及びこのかつらベースに植毛された毛髪を備えるかつらと、このかつらの製造方法とに関する。
【背景技術】
【０００２】
従来、かつらベース（例えば、ネット、人工皮膚等）に植毛される毛髪としては、主に人工毛髪（例えば、ポリエステル、ナイロン等の合成樹脂）が使用されているほか、かつら用の加工人毛などの人工毛髪以外の毛髪も使用されている。
【０００３】
かつらベースに植毛される毛髪については、人工毛髪であっても人工毛髪以外の毛髪であっても倒れて寝た状態になりやすい。毛髪が寝た状態になるとかつらのボリューム感がなくなる。かつらにボリューム感を生じさせる技術としては、縮毛や短毛やカール径の異なる毛を用いて他の毛髪を支持する手法が知られている（例えば、特許文献１〜４参照）。
【先行技術文献】
【特許文献】
【０００４】
【特許文献１】特開平３−２０６１０８号公報
【特許文献２】特許第４８８３５５０号公報
【特許文献３】特開２０１３−１６３８８３号公報
【特許文献４】特開２０１３−３６１３４号公報
【発明の概要】
【発明が解決しようとする課題】
【０００５】
しかしながら、上記のような毛髪を支持する縮毛は、毛髪と絡みやすいため、かつらのヘアスタイルを作りにくくなる。したがって、かつらの外観が不自然になることがある。
また、縮毛も１本の直立または湾曲している１本の毛髪にすぎないため、支持できる他の毛髪の本数に限界があり、他の毛髪を十分に支持することができない。そのため、他の毛髪が倒れて、かつらのボリューム感がなくなることがある。したがって、かつらの外観が不自然になることがある。
【０００６】
また、上記のような毛髪を支持する短毛やカール径の異なる毛も、直立または湾曲している１本の毛髪にすぎないため、支持できる他の毛髪の本数が少なく、他の毛髪を十分に支持することができない。そのため、他の毛髪が倒れて、かつらのボリューム感がなくなることがある。また、短毛やカール径の異なる毛が倒れた場合には、これらの毛により支持されていた他の毛髪がより一層倒れやすくなり、かつらのボリューム感がなくなることがある。したがって、かつらの外観が不自然になることがある。
【０００７】
図５（ａ）〜（ｃ）は、参考技術に係るかつら２１を示す要部断面図である。
図５（ａ）〜（ｃ）に示すかつら２１は、かつらベース２２と、このかつらベース２２に植毛された短毛２３及び長毛２４と、を備える。便宜上、短毛２３及び長毛２４を１本ずつ図示するが、実際には、かつらベース２２上には、短毛２３及び長毛２４が密集して位置する。そのため、短毛２３は、長毛２４を支持することになる。これにより、長毛２４の立ち上がりが確保される。
【０００８】
上述のように、短毛２３は、直立または湾曲している１本の毛髪にすぎないため、支持できる長毛２４の本数が少なく、長毛２４を十分に支持することができない。なお、短毛２３は、先端側が部分的にカールしているが、それでも支持できる長毛２４の本数は少なく、例えば図５（ａ）に示す長毛２４が図５（ｂ）及び（ｃ）に示すように倒れてきても、長毛２４を支持して立ち上げるのに十分でない。したがって、長毛２４や短毛２３が倒れてかつらの外観が不自然になることがある。
【０００９】
本発明の目的は、かつらの外観を自然にすることである。
【課題を解決するための手段】
【００１０】
１つの観点では、かつらは、かつらベースと、前記かつらベースに植毛され、１回転以上カールすることにより形成されるカール部を有する複数の第１の毛髪と、前記かつらベースに植毛され、前記第１の毛髪により支持される複数の第２の毛髪と、を備える。
【００１１】
また、前記かつらにおいて、前記カール部は、前記第１の毛髪のうち前記かつらベースに対する植毛部分である根元部分から先端部分に亘る全体で１つ形成されてもよい。
また、前記かつらにおいて、前記カール部における前記第１の毛髪の回転数は、２回転以下であってもよい。
【００１２】
他の観点では、かつらの製造方法は、１回転以上カールすることにより形成されるカール部を有する第１の毛髪をかつらベースに対し植毛する工程と、前記第１の毛髪により支持される第２の毛髪を前記かつらベースに対し植毛する工程と、を含む。
【００１３】
また、前記かつらの製造方法において、前記第１の毛髪に前記カール部を形成する工程を更に含み、前記カール部を形成する工程では、単一の部材に複数の前記第１の毛髪を巻き付けて同時に複数の前記カール部を形成するとともに、複数の前記第１の毛髪から前記単一の部材を引き抜いて複数の前記第１の毛髪を束ね、前記第１の毛髪を植毛する工程では、束ねた複数の前記第１の毛髪の中から前記第１の毛髪を取り出して植毛するようにしてもよい。
【発明の効果】
【００１４】
本発明によれば、かつらの外観が自然になる。
【図面の簡単な説明】
【００１５】
【図１】本発明の一実施の形態に係るかつらを示す要部断面図である。
【図２】カール部における毛髪の回転数を示す説明図である。
【図３】図２（ｃ）をＡ方向から見た図である。
【図４Ａ】本発明の一実施の形態に係るかつらの製造方法を示す説明図（その１）である。
【図４Ｂ】本発明の一実施の形態に係るかつらの製造方法を示す説明図（その２）である。
【図４Ｃ】本発明の一実施の形態に係るかつらの製造方法を示す説明図（その３）である。
【図４Ｄ】本発明の一実施の形態に係るかつらの製造方法を示す説明図（その４）である。
【図４Ｅ】本発明の一実施の形態に係るかつらの製造方法を示す説明図（その５）である。
【図４Ｆ】本発明の一実施の形態に係るかつらの製造方法を示す説明図（その６）である。
【図４Ｇ】本発明の一実施の形態に係るかつらの製造方法を示す説明図（その７）である。
【図５】参考技術に係るかつらを示す要部断面図である。
【発明を実施するための形態】
【００１６】
以下、本発明の実施の形態に係るかつら及びかつらの製造方法について、図面を参照しながら説明する。
図１（ａ）〜（ｃ）は、本発明の一実施の形態に係るかつら１を示す要部断面図である。
【００１７】
図１（ａ）〜（ｃ）に示すかつら１は、かつらベース２と、第１の毛髪３と、第２の毛髪４と、を備える。かつら１は、装着者の頭部全体に配置される全頭かつらであっても、装着者の頭部の一部に配置される部分かつらであってもよい。かつらベース２は、例えば、ネット、人工皮膚等である。
【００１８】
第１の毛髪３及び第２の毛髪４は、かつらベース２に植毛された例えば人工毛髪である。なお、第１の毛髪３及び第２の毛髪４は、人工毛髪以外の毛髪、例えば加工人毛などの毛髪であってもよい。
【００１９】
なお、図１（ａ）〜（ｃ）では第１の毛髪３及び第２の毛髪４をそれぞれ１本のみ図示するが、第１の毛髪３及び第２の毛髪４は、実際には、かつらベース２上にそれぞれ複数本配置され、例えば密集するように位置する。第１の毛髪３の数は、第２の毛髪４の数よりも少ない。
【００２０】
第１の毛髪３は、１回転以上カールすることにより形成されるカール部３ａを有する。図１（ａ）〜（ｃ）に示すカール部３ａは、ちょうど１回転カールしている。カール部３ａにおける第１の毛髪３の回転数は、２回転以下であることが望ましいが、２回転を超えていてもよい。なお、かつら１が装着されているうちに、かつらベース２に植毛された第１の毛髪３のうち一部の第１の毛髪３でカール部３ａが拡がるなどしてカールが１回転に満たなくなることがある。その場合であっても、残りの第１の毛髪３のカール部３ａが１回転以上カールしていればよい。
【００２１】
カール部３ａは、渦巻き状を呈していてもよい。また、カール部３ａは、回転軸方向と平行に見て、輪（閉じた輪）を形成するようにカールしていてもよい。また、カール部３ａを直線状に伸ばした場合の第１の毛髪３の全長は、第２の毛髪４の全長よりも短いが、第２の毛髪４の全長以上の長さであってもよい。
【００２２】
第１の毛髪３は、カール部３ａを有するため、図１（ａ）に示す第２の毛髪４が図１（ｂ）及び（ｃ）に示すように倒れてきた場合、第２の毛髪４を支持して立ち上がらせることができる。
【００２３】
カール部３ａは、第１の毛髪３のうち、かつらベース２に対する植毛部分である根元部分３ｂから先端部分３ｃに亘る全体で１つ形成されることが望ましい。但し、第１の毛髪３は、例えば、根本部分３ｂの近傍などの一部が直線状になっていてもよいし、或いは、１本の第１の毛髪３で小さい複数のカール部３ａが互いに間隔を隔てて形成されていてもよい。
【００２４】
図２（ａ）〜（ｇ）は、カール部における毛髪の回転数を示す説明図である。
図２（ｂ）に示す１回転の第１の毛髪３−１、図２（ｃ）に示す１＋１／４回転の第１の毛髪３−２、図２（ｄ）に示す１＋１／２回転の第１の毛髪３−３、図２（ｅ）に示す１＋３／４回転の第１の毛髪３−４、図２（ｆ）に示す２回転の第１の毛髪３−５は、回転数が１回転以上することで、図１（ａ）〜（ｃ）に示す第２の毛髪４を支持しやすいため望ましい。
【００２５】
また、図２（ｇ）に示す２＋１／４回転の第１の毛髪３−６などの２回転を超える第１の毛髪を用いてもよい。但し、回転数が２回転を超える場合、毛絡みが生じたり外観を損ねたりするおそれが増すため、この観点では回転数を増やしすぎないことが望ましい。
【００２６】
また、図２（ａ）に示す３／４回転の毛髪１３（比較例）は、回転数が１回転に満たないため、図１（ａ）〜（ｃ）に示す第２の毛髪４を支持して立ち上げるのに十分でない。
図３（ａ）及び（ｂ）は、図２（ｃ）をＡ方向から見た図である。
【００２７】
図２（ｃ）に示す第１の毛髪３−２は、図３（ａ）に示すように回転軸方向（矢印Ｄ）に幅狭であっても、図３（ｂ）に示すように回転軸方向（矢印Ｄ）に幅広であってもよい。但し、幅広にしすぎると、図１（ａ）〜（ｃ）に示す第２の毛髪４を支持しやすくなる反面、毛絡みが生じることになる。そのため、第１の毛髪３−２の回転軸方向の幅は、かつら１の髪型などに応じて適宜設定されるとよい。
【００２８】
図４Ａ〜図４Ｇは、本発明の一実施の形態に係るかつらの製造方法を示す説明図である。
図４Ａに示すように、複数の第１の毛髪３が並べられる。そして、複数の第１の毛髪３の上にパイプ１１が載せられる。なお、１本の長い毛髪にカールを付与して、その毛髪を切り取って第１の毛髪３とする手法では、カットする手間を要することになるため、植毛する長さの第１の毛髪３を予め用意し、この長さの第１の毛髪３にカール部３ａを形成することにしている。
【００２９】
図４Ｂに示すように、複数の第１の毛髪３は、単一のパイプ１１（「単一の部材」の一例）に１回転以上巻き付けられた状態で、カール付与剤を必要に応じて塗布され、例えばオーブンで加熱されて形状を保持される。これにより、図１（ａ）〜（ｃ）に示すように、同時に複数の第１の毛髪３にカール部３ａが形成される。
【００３０】
図４Ｃに示すように、複数の第１の毛髪３からパイプ１１を引き抜いて複数の第１毛髪３が束ねられる。このとき、図４Ｃには幅広に束ねられた例が図示されているが、より幅狭に束ねられることで、複数の第１の毛髪３を一体に手で持つことができる。
【００３１】
なお、第１の毛髪３にカール部３ａを形成する手法は、パイプ１１を用いた手法に限定されず、他の部材を用いたり、予め回転するように形状記憶された毛髪から第１の毛髪３が製造されていたりしてもよい。
【００３２】
図４Ｄに示すように、第１の毛髪３は、束ねた複数の第１の毛髪３の中から取り出され、例えば鈎針１２により、かつらベース２に植毛される。例えば、第１の毛髪３は、中央部分でかつらベース２に植毛され、中央部分を挟んだ両側が互いに同一形状となるように植毛される。
【００３３】
図４Ｅに示すように、かつらベース２の一部の領域において第１の毛髪３が複数本植毛される。
図４Ｆに示すように、一部の領域において第１の毛髪３の植毛が終了した後、複数の第２の毛髪４が用意される。図４Ｆに示す複数の第２の毛髪４は、例えば、中央で折り返され、束ねられている。
【００３４】
図４Ｇに示すように、複数の第１の毛髪３の植毛が終了した一部の領域において、複数の第１の毛髪３の間に第２の毛髪４が植毛されていく。例えば、第２の毛髪４も、中央部分でかつらベース２に植毛される。
【００３５】
その後、同様に、かつらベース２の他の一部の領域において、複数の第１の毛髪３が植毛され、その後、第２の毛髪４が植毛される。このように、図４Ｄ〜図４Ｇの処理がかつらベース２の領域ごとに繰り返し行われる。なお、植毛を順次行うかつらベース２の領域については、植毛作業が容易に行えるように、植毛作業中に決定されてもよいし或いは予め決定されていてもよい。
【００３６】
また、各領域において第２の毛髪４が先に植毛された後に第１の毛髪３が植毛されてもよい。また、上述の植毛方法とは異なり、かつらベース２の全体に第１の毛髪３及び第２の毛髪４の一方を植毛し、一方の植毛が終了した後に他方を植毛するなどの他の植毛方法を採用することも可能である。
【００３７】
また、第１の毛髪３と第２の毛髪４とが１本の毛髪から形成されてもよい。すなわち、１本の毛髪の中央部分を挟んだ一方は、図１（ａ）〜（ｃ）等に示すようにカール部３ａを有する第１の毛髪３となり、他方はカール部３ａを有さない第２の毛髪４となるようにしてもよい。その場合、この第１の毛髪３と第２の毛髪４とを兼用する毛髪のみをかつらベース２に植毛すると、カール部３ａが増えすぎてしまうため、第１の毛髪３と第２の毛髪４とを兼用する毛髪のみならず上述の第２の毛髪４をかつらベース２に植毛するとよい。
【００３８】
以上説明した一実施の形態では、かつらベース２に植毛された複数の第１の毛髪３は、１回転以上カールすることにより形成されるカール部３ａを有する。かつらベース２に植毛された第２の毛髪４は、第１の毛髪３により支持される。
【００３９】
そのため、カール部３ａが１回転以上カールすることによって、第１の毛髪３が支持できる第２の毛髪４の本数を増やすことができ、第２の毛髪４を十分に支持することができる。また、第１の毛髪３がカール部３ａを有するため、第１の毛髪３が倒れにくい。したがって、かつら１のボリューム感が維持される。
【００４０】
よって、本実施の形態によれば、かつら１の外観が自然になる。
また、本実施の形態では、カール部３ａは、第１の毛髪３のうちかつらベース２に対する植毛部分である根元部分３ｂから先端部分３ｃに亘る全体で１つ形成される。そのため、第２の毛髪４が根元側から支持され、かつら１の外観がより一層自然になる。
【００４１】
また、本実施の形態では、カール部３ａにおける第１の毛髪３の回転数が２回転以下とであることによって、毛絡みが生じたり外観を損ねたりするおそれが減る。
また、本実施の形態では、かつら１の製造方法は、１回転以上カールすることにより形成されるカール部３ａを有する第１の毛髪３をかつらベース２に対し植毛する工程と、第１の毛髪３により支持される第２の毛髪４をかつらベース２に対し植毛する工程と、を含む。そのため、カール部３ａが１回転以上カールすることによって、上述のとおり、かつら１の外観が自然になる。なお、かつら１の製造方法は、第１の毛髪３をかつらベース２に対し植毛する工程と、第２の毛髪４をかつらベース２に対し植毛する工程とを含めば、これらの工程を行う順序は特に限定されない。
【００４２】
また、本実施の形態では、カール部３ａを形成する工程において、単一のパイプ１１（単一の部材の一例）に複数の第１の毛髪３を巻き付けて同時に複数のカール部３ａを形成するとともに、複数の第１の毛髪３から単一のパイプ１１を引き抜いて複数の第１の毛髪３を束ねる。また、第１の毛髪３を植毛する工程において、束ねた複数の第１の毛髪３の中から第１の毛髪３を取り出して植毛する。そのため、かつら１の製造を容易に行うことができる。
【００４３】
また、本実施の形態では、かつら１の製造方法は、かつらベース２の一部の領域において、第１の毛髪３をかつらベース２に対し植毛する工程と第２の毛髪４をかつらベース２に対し植毛する工程とのうち一方を複数回行い、一方が終了した後に他方を複数回行う。その後、かつらベース２の他の一部の領域において、第１の毛髪３をかつらベース２に対し植毛する工程と第２の毛髪４をかつらベース２に対し植毛する工程とのうち一方を複数回行い、一方が終了した後に他方を複数回行う。そのため、領域ごとに第１の毛髪３及び第２の毛髪４を植毛することで、かつら１の製造が容易になる。なお、各領域で最初に植毛する毛髪を異ならせてもよい。すなわち、ある領域では第１の毛髪３を先に植毛し、異なる領域では第２の毛髪４を先に植毛してもよい。
【符号の説明】
【００４４】
１      かつら
２      かつらベース
３      第１の毛髪
３ａ      カール部
３ｂ      根元部分
３ｃ      先端部分
４      第２の毛髪
１１      パイプ
１２      鈎針
１３      毛髪（比較例）
【図１】
2015151656.tif 000003
【図２】
2015151656.tif 000004
【図３】
2015151656.tif 000005
【図４Ａ】
2015151656.tif 000006
【図４Ｂ】
2015151656.tif 000007
【図４Ｃ】
2015151656.tif 000008
【図５】
2015151656.tif 000009
【図４Ｄ】
2015151656.tif 000010
【図４Ｅ】
2015151656.tif 000011
【図４Ｆ】
2015151656.tif 000012
【図４Ｇ】
2015151656.tif 000013